(57)【要約】【課題】ユーザが好む温冷感を再現できる空気調和機を提供する。【解決手段】空気調和機は、室内の温冷感情報を検出する情報検出部(１００ａ)と、温冷感情報を用いて空調運転の設定温度を補正する設定情報補正部(１００ｂ)と、制御装置(１００)とを備える。制御装置(１００)は、空調運転の設定変更がされていない状態が、所定時間継続したと判定された場合、記憶部(５)に温冷感情報を記憶させることが可能になる。【選択図】図３
2020056510.tif 000002
【特許請求の範囲】
【請求項１】
室内の空気温度、空気湿度および躯体輻射温度のうちの少なくとも一つを含む環境情報、または、上記室内の温冷感情報を検出する情報検出部(５２，５３，５４，１００ａ)と、
上記環境情報または温冷感情報を用いて空調運転の設定温度および設定湿度の少なくとも一方を補正する設定情報補正部(１００ｂ)と、
制御装置(１００)と
を備え、
上記制御装置(１００)は、上記空調運転の設定変更がされていない状態が、所定時間継続したと判定された場合、記憶部(５)に上記環境情報または温冷感情報を記憶させることが可能になることを特徴とする空気調和機。
【請求項２】
請求項１に記載の空気調和機において、
上記制御装置(１００)は、上記空調運転の設定変更がされていない状態が上記所定時間継続してから、上記空調運転が特定パターン以外のパターンで停止するまでの期間に、上記空調運転の設定変更がされていない場合に、上記記憶部(５)に上記環境情報または温冷感情報を記憶させる記憶制御部(１００ｆ)を有することを特徴とする空気調和機。
【請求項３】
請求項２に記載の空気調和機において、
上記記憶部(５)に記憶される上記環境情報または温冷感情報は、上記空調運転の停止直前、停止時または停止直後の上記環境情報または温冷感情報であることを特徴とする空気調和機。
【請求項４】
請求項２に記載の空気調和機において、
上記記憶部(５)に記憶される上記環境情報または温冷感情報は、上記環境情報または温冷感情報の平均値であることを特徴とする空気調和機。
【請求項５】
請求項２から４までのいずれか一項に記載の空気調和機において、
上記特定パターンの上記空調運転の停止は、上記制御装置(１００)による上記空調運転の自動停止であり、
上記制御装置(１００)による上記空調運転の自動停止があった場合、上記環境情報または温冷感情報は上記記憶部(５)に記憶されないことを特徴とする空気調和機。
【請求項６】
請求項５に記載の空気調和機において、
上記室内にいる人を検知する人検知センサ(５５)を備え、
上記制御装置(１００)による上記空調運転の自動停止は、上記人検知センサ(５５)によって上記室内の人が所定時間検知されないことに起因して起こることを特徴とする空気調和機。
【請求項７】
請求項５または６に記載の空気調和機において、
上記制御装置(１００)は、上記空調運転に関する異常を検知する異常検知部(１００ｇ)を有し、
上記制御装置(１００)による上記空調運転の自動停止は、上記異常検知部(１００ｇ)によって上記空調運転に関する異常が検知されたことに起因して起こることを特徴とする空気調和機。
【請求項８】
請求項５から７までのいずれか一項に記載の空気調和機において、
上記空調運転を停止させる時間を設定するための切タイマ(４１１)を備え、
上記制御装置(１００)による上記空調運転の自動停止は、上記切タイマ(４１１)で設定された時間の到来に起因して起こることを特徴とする空気調和機。
【請求項９】
請求項１から８までのいずれか一項に記載の空気調和機において、
上記温冷感情報は、上記室内の環境情報を使って算出した温熱環境評価指数であることを特徴とする空気調和機。
【請求項１０】
請求項１から９までのいずれか一項に記載の空気調和機において、
上記環境情報または温冷感情報は、時間帯または季節と関連付けして上記記憶部(５)に記憶させることが可能であることを特徴とする空気調和機。
【請求項１１】
請求項１から１０までのいずれか一項に記載の空気調和機において、
上記空調運転は、上記設定温度が予め設定されている自動空調運転であることを特徴とする空気調和機。
【発明の詳細な説明】
【技術分野】
【０００１】
本開示は、空気調和機に関する。
【背景技術】
【０００２】
従来、空気調和機としては、特開２００１−９９４５８号公報(特許文献１)に開示されているように、室内空気温度を検出する室温センサと、輻射熱温度を検出する輻射センサと、室温センサおよび輻射センサから体感温度を得る室内制御部とを備えたものがある。この室内制御部からの指示により、体感温度が温度表示部に表示される。
【先行技術文献】
【特許文献】
【０００３】
【特許文献１】特開２００１−９９４５８号公報
【発明の概要】
【発明が解決しようとする課題】
【０００４】
上記従来の空気調和機では、体感温度が温度表示部に表示されるだけで、ユーザが好む温冷感を再現できないという問題がある。
【０００５】
本開示の課題は、ユーザが好む温冷感を再現できる空気調和機を提供することにある。
【課題を解決するための手段】
【０００６】
本開示の空気調和機は、
室内の空気温度、空気湿度および躯体輻射温度のうちの少なくとも一つを含む環境情報、または、上記室内の温冷感情報を検出する情報検出部と、
上記環境情報または温冷感情報を用いて空調運転の設定温度および設定湿度の少なくとも一方を補正する設定情報補正部と、
制御装置と
を備え、
上記制御装置は、上記空調運転の設定変更がされていない状態が、所定時間継続したと判定された場合、記憶部に上記環境情報または温冷感情報を記憶させることが可能になる。
【０００７】
上記構成によれば、上記空調運転の設定変更がされていない状態が、所定時間継続したと判定された場合、記憶部への環境情報または温冷感情報の記憶が可能になるので、ユーザが好む温冷感を再現することができる。
【０００８】
本開示の一態様の空気調和機では、
上記制御装置は、上記空調運転の設定変更がされていない状態が上記所定時間継続してから、上記空調運転が特定パターン以外のパターンで停止するまでの期間に、上記空調運転の設定変更がされていない場合に、上記記憶部に上記環境情報または温冷感情報を記憶させる記憶制御部を有する。
【０００９】
上記態様によれば、上記期間に空調運転の設定変更がされていない場合、記憶制御部が記憶部に環境情報または温冷感情報を記憶させるので、ユーザが次回の空調運転に満足する可能性を高めることができる。
【００１０】
本開示の一態様の空気調和機では、
上記記憶部に記憶される上記環境情報または温冷感情報は、上記空調運転の停止直前、停止時または停止直後の上記環境情報または温冷感情報である。
【００１１】
上記態様によれば、上記空調運転の停止直前、停止時または停止直後の環境情報または温冷感情報が記憶部に記憶されるので、記憶部が記憶する環境情報または温冷感情報の信頼性を高めることができる。
【００１２】
本開示の一態様の空気調和機では、
上記記憶部に記憶される上記環境情報または温冷感情報は、上記環境情報または温冷感情報の平均値である。
【００１３】
上記態様によれば、上記環境情報または温冷感情報の平均値が記憶部に記憶されるので、記憶部に記憶される温冷感情報の信頼性を高めることができる。
【００１４】
本開示の一態様の空気調和機では、
上記特定パターンの上記空調運転の停止は、上記制御装置による上記空調運転の自動停止であり、
上記制御装置による上記空調運転の自動停止があった場合、上記環境情報または温冷感情報は上記記憶部に記憶されない。
【００１５】
上記態様によれば、上記制御装置による上記空調運転の自動停止があった場合、環境情報または温冷感情報は記憶部に記憶されないので、その環境情報または温冷感情報が次回の空調運転で使用されるのを禁止することができる。
【００１６】
本開示の一態様の空気調和機は、
上記室内にいる人を検知する人検知センサを備え、
上記制御装置による上記空調運転の自動停止は、上記人検知センサによって上記室内の人が所定時間検知されないことに起因して起こる。
【００１７】
上記態様によれば、上記制御装置による空調運転の自動停止が、人検知センサによって室内の人が所定時間検知されないことに起因して起こる場合、環境情報または温冷感情報は記憶部に記憶されないので、その環境情報または温冷感情報が次回の空調運転で使用されるのを禁止することができる。
【００１８】
一態様の空気調和機では、
上記制御装置は、上記空調運転に関する異常を検知する異常検知部を有し、
上記制御装置による上記空調運転の自動停止は、上記異常検知部によって上記空調運転に関する異常が検知されたことに起因して起こる。
【００１９】
上記態様によれば、上記制御装置による空調運転の自動停止が、異常検知部によって空調運転に関する異常が検知されたことに起因して起こる場合、環境情報または温冷感情報は記憶部に記憶されないので、その環境情報または温冷感情報が次回の空調運転で使用されるのを禁止することができる。
【００２０】
一態様の空気調和機は、
上記空調運転を停止させる時間を設定するための切タイマを備え、
上記制御装置による上記空調運転の自動停止は、上記切タイマで設定された時間の到来に起因して起こる。
【００２１】
上記態様によれば、上記制御装置による空調運転の自動停止が、切タイマで設定された時間の到来に起因して起こる場合、環境情報または温冷感情報は記憶部に記憶されないので、その環境情報または温冷感情報が次回の空調運転で使用されるのを禁止することができる。
【００２２】
一態様の空気調和機では、
上記温冷感情報は、上記室内の環境情報を使って算出した温熱環境評価指数である。
【００２３】
上記態様によれば、上記温冷感情報が温熱環境評価指数であることにより、ユーザが好む温冷感を再現しやすくなる。
【００２４】
一態様の空気調和機では、
上記環境情報または温冷感情報は、時間帯または季節と関連付けして上記記憶部に記憶させることが可能である。
【００２５】
上記態様によれば、上記環境情報または温冷感情報は、時間帯または季節と関連付けして記憶部に記憶させることが可能であるので、時間帯または季節に応じて再利用することができる。
【００２６】
一態様の空気調和機では、
上記空調運転は、上記設定温度が予め設定されている自動空調運転である。
【００２７】
上記態様によれば、上記自動空調運転時、室内の環境情報または温冷感情報が記憶部に記憶することが可能となる。したがって、上記自動空調運転の質を高めることができる。
【図面の簡単な説明】
【００２８】
【図１】本開示の実施形態の空気調和機の冷媒回路の回路図である。
【図２】上記空気調和機のリモコンの概略外観図である。
【図３】上記空気調和機の制御ブロック図である。
【図４Ａ】上記空気調和機の快適自動運転に関する制御のフローチャートである。
【図４Ｂ】図４Ａに続くフローチャートである。
【発明を実施するための形態】
【００２９】
以下、本開示の空気調和機を、図示の実施の形態により詳細に説明する。
【００３０】
図１は、本開示の実施形態の空気調和機が備える冷媒回路ＲＣの回路図である。
【００３１】
上記空気調和機は、空調対象空間である室内に設置される室内機１と、その室外に設置される室内機１と、室外機２上に搭載された加湿装置３(図３に示す)とを備える。この加湿装置３で生成された加湿空気は、加湿ホース(図示せず)を介して、室内機１に送ることが可能となっている。
【００３２】
室内機１は、室内熱交換器１１と、この室内熱交換器１１に空気を送る室内ファン１２と、室内熱交換器１１の温度を検出する室内熱交換器温度センサ５１と、室内温度を検出する室内温度センサ５２と、室内湿度を検出する室内湿度センサ５３と、空調対象空間に面する床の温度を検出する床温度センサ５４と、空調対象空間における人の所在を検知するための人感センサ５５とを有する。なお、床温度センサ５４および人感センサ５５としては、例えば赤外線センサなどが使用される。また、人感センサ５５は、人検知センサの一例である。
【００３３】
室内熱交換器１１は、室内ファン１２による空気流に関して、室内ファン１２よりも上流側に位置している。
【００３４】
室外機２は、圧縮機２１と、四路切換弁２２と、室外熱交換器２３と、膨張機構の一例としての電動膨張弁２４と、アキュムレータ２５と、室外熱交換器２３に空気を送る室外ファン２６とを有する。さらに、室外機２は、室外熱交換器２３の温度を検出する室外熱交換器温度センサ５６と、外気温度を検出する外気温度センサ５７とを有する。
【００３５】
室外熱交換器２３は、室外ファン２６による空気流に関して、室外ファン２６よりも下流側に位置している。室外熱交換器２３内を流れる冷媒は、室内ファン１２からの空気と熱交換する。
【００３６】
上記空気調和機では、室内熱交換器１１、圧縮機２１、四路切換弁２２、室外熱交換器２３、電動膨張弁２４およびアキュムレータ２５が環状に接続されて、冷媒回路ＲＣが構成されている。
【００３７】
また、上記空気調和機は、リモートコントローラ(リモコン)４を備える。ユーザは、リモコン４を操作して、快適自動運転、冷房運転、暖房運転、除湿運転または加湿運転を開始させたり、停止させたりすることができる。また、リモンコン４を操作することにより、温度および湿度を設定したり、室内機１の吹出空気の風量(以下、「空調風量」と言う。)および風向(以下、「空調風向」と言う。)を変更したりすることもできる。なお、快適自動運転は、空調運転の一例であり、自動空調運転の一例でもある。
【００３８】
例えば、上記冷房運転または除湿運転が選択された場合、四路切換弁２２が図１の実線の状態を取り、圧縮機２１から吐出された冷媒は、冷媒回路ＲＣを実線の矢印に示すように、四路切換弁２２、室外熱交換器２３、電動膨張弁２４、室内熱交換器１１、四路切換弁２２およびアキュムレータ２５を、この順で流れるようになっている。一方、上記暖房運転が選択された場合、四路切換弁２２が図１の破線の状態を取り、圧縮機２１から吐出された冷媒は、冷媒回路ＲＣを破線の矢印に示すように、四路切換弁２２、室内熱交換器１１、電動膨張弁２４、室外熱交換器２３、四路切換弁２２およびアキュムレータ２５を、この順で流れるようになっている。
【００３９】
図２は、リモコン４を表示部４１側から見たときの概略外観図である。
【００４０】
リモコン４は、ケーシング４０、表示部４１およびボタン群４２を有する。このボタン群４２は、快適自動ボタン４０１、停止ボタン４０２、冷房ボタン４０３、暖房ボタン４０４、除湿ボタン４０５、加湿ボタン４０６、温度ボタン４０７、湿度ボタン４０８、お知らせボタン４０９、サーキュレーションボタン４１０、切タイマボタン４１１などを含んでいる。なお、切タイマボタン４１１は、切タイマの一例である。
【００４１】
ケーシング４０は、本体部４０ａと、この本体部４０ａに回動可能に設けられた蓋部４０ｂとを有する。表示部４１は本体部４０ａに設けられている一方、ボタン群４２の大多数は蓋部４０ｂに設けられている。なお、図示しないが、蓋部４０ｂを回動させると、空調風量、空調風向を設定するためのボタンなどが露出して操作可能となる。
【００４２】
表示部４１は、設定温度、設定湿度、風量、風向などを表示し、快適自動ボタン４０１、停止ボタン４０２などの押下に応じて表示が切り替わる。なお、図２の表示部４１の表示は、快適自動ボタン４０１が押下されたときの一表示例である。
【００４３】
快適自動ボタン４０１が押下されると、「ＡＩ快適自動」が表示部４１に表示され、快適自動運転が開始する。より詳しく説明すると、快適自動ボタン４０１の押下後、室内温度および室外温度に基づいて、冷房運転、除湿運転、除湿冷房運転、暖房運転および加湿暖房運転のうちのいずれか一つが自動的に選択されて開始する。このとき、例えばメーカ側で予め設定された設定温度と、例えばメーカ側で予め設定された設定湿度との少なくとも一方が使用される。上記設定温度および設定湿度は、記憶部５(図３に示す)に記憶されている。
【００４４】
また、快適自動ボタン４０１の押下後、冷房運転、除湿運転、除湿冷房運転、暖房運転および加湿暖房運転のうちのどれが、行われているかは、お知らせボタン４０９の押下により、表示部４１の表示で確認可能になっている。
【００４５】
例えば、快適自動ボタン４０１の押下によって冷房運転または暖房運転が開始した場合、室内温度センサ５２によって検出される室内温度が上記設定温度に近づくように、冷媒回路ＲＣなどが制御される。
【００４６】
また、快適自動ボタン４０１の押下によって除湿運転または加湿運転が開始した場合、室内湿度センサ５３によって検出される室内湿度が上記設定湿度に近づくように、冷媒回路ＲＣなどが制御される。
【００４７】
また、快適自動ボタン４０１の押下によって除湿冷房運転または加湿暖房運転が開始した場合、室内温度センサ５２によって検出される室内温度が上記設定温度に近づくように、かつ、室内湿度センサ５３によって検出される室内湿度が上記設定湿度に近づくように、冷媒回路ＲＣなどが制御される。
【００４８】
上記設定温度および設定湿度は、温度ボタン４０７および湿度ボタン４０８の押下により、調節可能になっている。例えば、図２の表示部４１の「＋１．０℃」は、温度ボタン４０７の押下で、上記設定温度がデフォルト値よりも１．０℃高くなるように調節されていることを示す。また、図２の表示部４１の「標準」は、上記設定湿度がデフォルト値のままであることを示す。
【００４９】
冷房ボタン４０３が押下されると、冷房運転が開始される。この冷房運転は、上記設定温度に基づいて制御されるのではなく、ユーザによって設定される温度に基づいて制御される。より詳しく説明すると、上記冷房運転では、室内温度センサ５２によって検出される室内温度が、ユーザが温度ボタン４０７で設定する室内温度に近づくように、冷媒回路ＲＣなどが制御される。また、冷房ボタン４０３の押下で開始された冷房運転中、湿度ボタン４０８が押下されると、除湿冷房運転に切り替わる。この除湿冷房運転の制御では、温度ボタン４０７，湿度ボタン４０８で設定される温度，湿度が使用される。
【００５０】
暖房ボタン４０４が押下されると、暖房運転が開始される。このとき、冷房ボタン４０３の押下時と同様に、上記設定温度に基づいた制御が行われるのではなく、ユーザによって設定される温度に基づいた制御が行われる。また、暖房ボタン４０４の押下で開始された暖房運転中、湿度ボタン４０８が押下されると、加湿暖房運転に切り替わる。この加湿暖房運転の制御では、温度ボタン４０７，湿度ボタン４０８で設定される温度，湿度が使用される。
【００５１】
除湿ボタン４０５が押下されると、除湿運転が開始される。この除湿運転は、上記設定湿度に基づいて制御されるのではなく、ユーザによって設定される湿度に基づいて制御される。より詳しく説明すると、上記除湿運転では、室内湿度センサ５３によって検出される室内湿度が、ユーザが湿度ボタン４０８で設定する室内湿度に近づくように、冷媒回路ＲＣなどが制御される。また、除湿ボタン４０５の押下で開始された除湿運転中、温度ボタン４０７が押下されると、除湿冷房運転に切り替わる。この除湿冷房運転の制御でも、温度ボタン４０７，湿度ボタン４０８で設定される温度，湿度が使用される。
【００５２】
加湿ボタン４０６が押下されると、加湿運転が開始される。このとき、上記設定湿度に基づいた制御が行われるのではなく、ユーザによって設定される湿度に基づいた制御が行われる。この加湿運転では、室内湿度センサ５３によって検出される室内湿度が、ユーザが湿度ボタン４０８で設定する室内湿度に近づくように、加湿装置３などが制御される。また、加湿ボタン４０６の押下で開始された加湿運転中、温度ボタン４０７が押下されると、加湿暖房運転に切り替わる。この加湿暖房運転の制御でも、温度ボタン４０７，湿度ボタン４０８で設定される温度，湿度が使用される。
【００５３】
切タイマボタン４１１が押下されると、上述した様々な運転の停止時間が設定される。例えば、切タイマボタン４１１を１回押すと、上記運転は切タイマボタン４１１の押下時から３０分後に停止することになる。続けて、切タイマボタン４１１を更に１回押すと、上記運転は切タイマボタン４１１の最後の押下時から６０分後に停止することになる。すなわち、切タイマボタン４１１を押すごとに、３０分刻みで、上記運転の停止時間を調整することが可能になっている。
【００５４】
図３は、上記空気調和機の制御ブロック図である。
【００５５】
上記空気調和機は、マイクロコンピュータ、入出力回路などからなる制御装置１００と、例えば不揮発性メモリからなる記憶部５とを備える。
【００５６】
制御装置１００は、室内熱交換器温度センサ５１、室内温度センサ５２、室内湿度センサ５３、床温度センサ５４、人感センサ５５、室外熱交換器温度センサ５６、外気温度センサ５７、リモコン４、記憶部５などからの信号に基づいて、圧縮機２１、四路切換弁２２、電動膨張弁２４、室外ファン２６、室内ファン１２、加湿装置３、記憶部５などを制御する。
【００５７】
また、制御装置１００は、情報検出部１００ａと、設定情報補正部１００ｂと、第１設定変更判定部１００ｃと、状態判定部１００ｄと、第２設定変更判定部１００ｅと、記憶制御部１００ｆと、異常検知部１００ｇとを有する。この情報検出部１００ａ、設定情報補正部１００ｂ、第１設定変更判定部１００ｃ、状態判定部１００ｄ、第２設定変更判定部１００ｅ、記憶制御部１００ｆおよび異常検知部１００ｇは、それぞれ、ソフトウェアにより構成されている。
【００５８】
情報検出部１００ａは、室内の温熱環境評価指数の一例としてのＰＭＶ(予想温冷感申告)を検出する。より詳しく説明すると、室内温度センサ５２によって検出された室内温度と、床温度センサ５４によって検出された床温度とが、予め定られた式に代入されて、ＰＭＶが算出されるようになっている。また、ＰＭＶの算出は、快適自動運転中、断続的に検出される。すなわち、ＰＭＶの算出は一定の時間間隔で繰り返される。なお、ＰＭＶは、温冷感情報の一例である。
【００５９】
設定情報補正部１００ｂは、情報検出部１００ａによって検出されたＰＭＶを用いて、快適自動運転で使用される設定温度および設定湿度の少なくとも一方を補正する。この補正の方法としては、例えば、予め定められたテーブルを用いる方法などがある。
【００６０】
第１設定変更判定部１００ｃは、快適自動運転の設定変更がされたか否かを判定する。より具体的に言うと、ユーザが、快適自動ボタン４０１の押下で快適自動運転を開始させた後、温度ボタン４０７または湿度ボタン４０８を押下した場合、第１設定変更判定部１００ｃによって、快適自動運転の設定変更がされたと判定される。
【００６１】
状態判定部１００ｄは、第１設定変更判定部１００ｃの判定結果を用いて、快適自動運転が設定変更されていないで例えば９０分継続したか否かを判定する。このとき、上記快適自動運転が設定変更されていないで９０分継続していると判定されると、情報検出部１００ａによって検出されたＰＭＶを記憶部５に記憶させることが可能になる。この設定変更の判定は、温度ボタン４０７または湿度ボタン４０８が押下されたか否かに基づいて行われる。温度ボタン４０７および湿度ボタン４０８が押下されずに、快適自動運転が９０分継続したとき、状態判定部１００ｄは、快適自動運転が設定変更されていないで例えば９０分継続したと判定する。なお、９０分は所定時間の一例である。
【００６２】
異常検知部１００ｇは、快適自動運転に関する異常を検知する。より詳しく説明すると、異常検知部１００ｇは、例えば、圧縮機２１の温度変化に基づいて、快適自動運転が正常に行われていない状態を検知する。
【００６３】
第２設定変更判定部１００ｅは、快適自動運転が設定変更されていないで９０分継続してから、快適自動運転が特定パターン以外のパターンで停止するまでの期間に、快適自動運転の設定変更がされたか否かを判定する。この設定変更の判定は、第１設定変更判定部１００ｃの場合と同様に、温度ボタン４０７または湿度ボタン４０８が押下されたか否かに基づいて行われる。
【００６４】
上記特定パターンの停止は、制御装置１００による自動停止である。この自動停止は、人感センサ５５によって人の存在が所定時間（例えば６０分）検知されなかったこと、異常検知部１００ｇによって快適自動運転に関する異常が検知されたこと、および、切タイマボタン４１１で設定された時間が到来したことに起因して起こったりする。別の言い方をすれば、人感センサ５５が人の存在を所定時間検知しなかった場合、異常検知部１００ｇが快適自動運転に関する異常を検知した場合、および、切タイマボタン４１１で設定された時間が到来した場合は、制御装置１００による自動停止が起こる。
【００６５】
記憶制御部１００ｆは、第２設定変更判定部１００ｅによって、快適自動運転の設定変更がされていないと判定されたとき、記憶部５にＰＭＶを記憶させる。
【００６６】
上記構成の空気調和機では、上記快適自動運転が設定変更されていないで９０分継続していると判定されると、情報検出部１００ａによって検出されたＰＭＶを記憶部５に記憶させることが可能になる。したがって、上記ＰＭＶを記憶部５に記憶させた場合、次回の快適自動運転時、上記ＰＭＶを用いて設定温度および設定湿度の少なくとも一方を補正することができる。その結果、次回の快適自動運転時、ユーザが温度ボタン４０７を操作しなくても、ユーザの好みの温冷感を再現することができる。
【００６７】
以下、図４Ａ，図４Ｂのフローチャートにしたがって、快適自動運転に関する制御について説明する。
【００６８】
上記フローチャートの制御は快適自動ボタン４０１の押下でスタートし、まず、ステップＳ１で、室内温度センサ５２によって検出された室内温度と、室内湿度センサ５３によって検出された室内湿度とに基づいて、冷房運転、除湿運転、除湿冷房運転、暖房運転および加湿暖房運転のいずれか一つを選択する。
【００６９】
次に、ステップＳ２で、予め設定された設定温度または設定湿度を使用するか否かを判定する。このステップＳ２で、上記設定温度または設定湿度を使用すると判定された場合、次のステップＳ３に進む。一方、ステップＳ２で、上記設定温度または設定湿度を使用しないと判定された場合、つまり、上記設定温度および設定湿度のどちらも使用しないと判定された場合、ステップＳ５に進む。
【００７０】
次に、ステップＳ３で、前回の快適自動運転の停止に応じて記憶部５に記憶させたＰＭＶが有るか否かを判定する。このステップＳ３で、上記ＰＭＶが無いと判定されると、次のステップＳ４に進む。一方、ステップＳ３で、上記ＰＭＶが有ると判定されると、ステップＳ１１で、上記設定温度および設定湿度の少なくとも一方をＰＭＶで補正した後、次のステップＳ４に進む。なお、ステップＳ１１は設定情報補正部１００ｂによって行われる。
【００７１】
次に、ステップＳ４で、冷房ボタン４０３、暖房ボタン４０４、除湿ボタン４０５または加湿ボタン４０６が押下されたか否かを判定する。すなわち、ステップＳ４で、快適自動運転は解除されたか否かを判定する。このステップＳ４で、快適自動運転は解除されていないと判定されると、次のステップＳ５に進む。一方、ステップＳ４で、快適自動運転は解除されたと判定すると、このフローチャートの制御は、記憶部５にＰＭＶを記憶させることなく、エンドになる。
【００７２】
次に、ステップＳ５で、快適自動運転が設定変更されていないで９０分継続したか否かを判定する。すなわち、ステップＳ５で、快適自動運転が設定変更されないで継続している時間は９０分以上であるか否かが判定される。このステップＳ５で、上記時間が９０分以上であると判定されると、次のステップＳ６に進む。一方、ステップＳ５で、上記時間が９０分以上でないと判定されると、ステップＳ４に戻る。なお、ステップＳ５は、第１設定変更判定部１００ｃおよび状態判定部１００ｄによって行われる。
【００７３】
次に、ステップＳ６において、ステップＳ１で選択された運転が停止したか否かを判定する。このステップＳ５で、上記運転が停止したと判定されると、次のステップＳ６に進む。一方、ステップＳ５で、上記運転が停止していないと判定されると、ステップＳ４に戻る。
【００７４】
次に、ステップＳ７において、ステップＳ１で選択された運転が上記特定パターン以外のパターンで停止したか否かを判定する。このステップＳ７で、上記運転が上記特定パターンで停止したと判定されないと、次のステップＳ８に進む。一方、ステップＳ７で、上記運転が上記特定パターンで停止したと判定されると、このフローチャートの制御は、記憶部５にＰＭＶを記憶させることなく、エンドになる。
【００７５】
次に、ステップＳ８で、上記状態が９０分継続してから、上記運転が特定パターン以外のパターンで停止するまでの期間に、快適自動運転の設定変更がされたか否かを判定する。このステップＳ８で、上記期間に快適自動運転の設定変更がされていないと判定すると、次のステップＳ９に進む。一方、ステップＳ８で、上記期間に快適自動運転の設定変更がされたと判定すると、このフローチャートの制御は、記憶部５にＰＭＶを記憶させることなく、エンドになる。なお、ステップＳ８は、第２設定変更判定部１００ｅによって行われる。
【００７６】
最後に、ステップＳ９で、情報検出部１０によって上記運転の停止の直前に検出されたＰＭＶを記憶部５に記憶させる。なお、ステップＳ９は、記憶制御部１００ｆによって行われる。
【００７７】
このように、上記期間に快適自動運転の設定変更がされていない場合、快適自動運転に対するユーザの満足度は高いと推測することができる。したがって、その場合、記憶部５にＰＭＶを記憶させることにより、このＰＭＶを次回の快適自動運転で用いることができるので、ユーザが次回の快適自動運転に満足する可能性を高めることができる。
【００７８】
また、上記運転の停止直前のＰＭＶが記憶部に記憶されるので、記憶部５が記憶するＰＭＶの信頼性を高めることができる。すなわち、記憶部５が記憶するＰＭＶを次回の快適自動運転で用いれば、ユーザが次回の快適自動運転を不快だと感じる可能性を下げることができる。
【００７９】
また、人感センサ５５によって室内の人が所定時間検知されないことに起因して、制御装置１００による自動停止が起こる場合、快適自動運転に対するユーザの満足度が高い状態で、快適自動運転が停止したとは言い切れないので、その快適自動運転のＰＭＶの信頼性は低い。したがって、その場合、上記ＰＭＶは記憶部に記憶させないようにしている。
【００８０】
また、異常検知部１００ｇが快適自動運転に関する異常を検知したことに起因して、制御装置１００による自動停止が起こる場合も、快適自動運転のＰＭＶの信頼性は低いので、そのＰＭＶは記憶部５に記憶させないようにしている。
【００８１】
また、制御装置１００による自動停止が、切タイマボタン４１１で設定された時間の到来に起因して起こる場合も、快適自動運転のＰＭＶの信頼性は低いので、そのＰＭＶは記憶部５に記憶させないようにしている。
【００８２】
また、記憶部５に記憶させるＰＭＶは、ユーザが好む温冷感を再現しやすい。したがって、快適自動運転の設定温度および設定湿度のすくとも一方をＰＭＶで補正することにより、ユーザの満足度を高めることができる。
【００８３】
また、快適自動運転時、記憶部５にＰＭＶを記憶させることができるので、快適自動運転の質を高めることができる。
【００８４】
上記実施形態では、空気調和機は、加湿装置３を備えていたが、加湿装置３を備えなくてもよい。すなわち、本開示の空気調和機は、加湿機能を有するものでもあってもよいし、加湿機能を有さないものであってもよい。
【００８５】
上記実施形態では、上記空気調和機は、床温度センサ５４を備えていたが、例えば、空調対象空間に面する壁の温度を検出する壁温度センサなどを、床温度センサ５４の換わりに備えたり、床温度センサ５４と共に備えてもよい。
【００８６】
上記実施形態では、室外機２は、電動膨張弁２４を備えていたが、膨張機構の一例としてのキャピラリーチューブを備えてもよい。
【００８７】
上記実施形態では、快適自動ボタン４０１の押下後に設定温度および設定湿度が使用されていたが、この設定温度および設定湿度は、空気調和機の製造時に設定されるものであってもよいし、空気調和機の製造後、例えばファームウェアのアップデートで設定されるものであってもよい。
【００８８】
上記実施形態では、上記空気調和機は、記憶部５を備えていたが、記憶部５を備えないようにしてもよい。このようにする場合、外部のサーバなどを記憶部の一例として用いてもよい。
【００８９】
上記実施形態では、室内温度センサ５２によって検出された室内温度と、床温度センサ５４によって検出された床温度とを用いて、室内のＰＭＶが算出されていたが、例えば、上記室内温度および床温度と、室内湿度センサによって検出された室内湿度とを用いて、室内のＰＭＶが算出されるようにしてもよい。
【００９０】
上記実施形態では、ＰＭＶの算出は、快適自動運転中、断続的に検出されていたが、連続的に検出されるようにしてもよい。
【００９１】
上記実施形態では、第１設定変更判定部１００ｃは、温度ボタン４０７または湿度ボタン４０８が押下された場合、快適自動運転の設定変更がされたと判定していたが、風量を調節するためのボタン、風向を調節するためのボタンなどが押下された場合も、快適自動運転の設定変更がされたと判定するようにしてもよい。
【００９２】
上記実施形態では、状態判定部１００ｄは、快適自動運転が設定変更されていないで９０分継続したか否かを判定していたが、快適自動運転の設定変更がされていない状態が３０分継続したか否かを判定してもよい。要するに、状態判定部１００ｄが判定基準として用いる所定時間は、９０分でもよいし、３０分でもよいし、９０分および３０分以外の時間であってもよい。
【００９３】
上記実施形態では、ステップＳ６において、ステップＳ１で選択された運転が停止していないと判定された後、再び、ステップＳ６が行われていたが、その後、ステップＳ４と同様に、快適自動運転は解除されたか否かを判定してもよい。このようにする場合、快適自動運転は解除されたと判定されたとき、記憶部５にＰＭＶを記憶させないで、図４Ａ，図４Ｂのフローチャートの制御をエンドにする一方、快適自動運転は解除されていないと判定されたとき、ステップＳ６に戻るようにしてもよい。
【００９４】
上記実施形態では、異常検知部１００ｇは、快適自動運転に関する異常を検知していたが、冷房ボタン４０３、暖房ボタン４０４、除湿ボタン４０５または加湿ボタン４０６の押下に応じて開始する冷房運転、除湿冷房運転、暖房運転、加湿暖房運転、除湿運転、加湿運転に関する異常を検知してもよい。
【００９５】
上記実施形態では、ステップＳ１で選択された運転が停止する直前に検出されたＰＭＶが、記憶部５に記憶されていたが、上記運転の停止時または停止直後に検出されたＰＭＶが、記憶部５に記憶されるようにしてもよい。あるいは、上記運転の停止の直前、停止時または停止の直後に検出されたＰＭＶと、記憶部５に記憶された過去の所定回数分（例えば６回分）のＰＭＶとから、ＰＭＶの平均値を算出して記憶部５に記憶させてもよい。このようにする場合、記憶部５に記憶されるＰＭＶの信頼性を高めることができる。すなわち、記憶部５が記憶するＰＭＶを次回の快適自動運転で用いれば、ユーザが次回の快適自動運転を不快だと感じる可能性を下げることができる。
【００９６】
上記実施形態では、ＰＭＶは、時間帯または季節と関連付けして記憶部５に記憶させていなかったが、時間帯または季節と関連付けして記憶部５に記憶させてもよい。このようにする場合、時間帯または季節に応じてＰＭＶを再利用することができるので、ＰＭＶの適切な再利用を実現することができる。
【００９７】
上記実施形態では、情報検出部１００ａは、ＰＭＶを検出していたが、室内の温熱環境評価指数の一例としての不快指数を検出するようにしてもよい。このようにする場合、設定情報補正部１００ｂは、情報検出部１００ａによって検出された不快指数を用いて、快適自動運転で使用される設定温度および設定湿度の少なくとも一方を補正するようにしてもよい。
【００９８】
上記実施形態では、床温度センサ５４は、空調対象空間に面する床の温度を検出していたが、空調対象空間に面する壁、天井などの温度を検出するようにしてもよい。なお、上記壁、天井などの温度は、躯体温度の一例である。
【００９９】
上記実施形態では、設定情報補正部１００ｂは、情報検出部１００ａによって検出されたＰＭＶを用いて、快適自動運転で使用される設定温度および設定湿度の少なくとも一方を補正していたが、室内温度センサ５２によって検出された室内温度と、室内湿度センサ５３によって検出された室内湿度と、躯体輻射温度とのうちの少なくとも１つを含む環境情報を用いて、快適自動運転で使用される設定温度および設定湿度の少なくとも一方を補正するようにしてもよい。このようにする場合、床温度センサ５４によって検出された床温度を躯体輻射温度の一例として使ってもよい。上記躯体輻射温度の他の一例としては、空調対象空間に面する壁、天井などの温度がある。また、その場合、快適自動運転の設定変更がされていない状態が所定時間継続したとき、上記環境情報が記憶部５に記憶可能となるようにしてもよい。すなわち、上記環境情報は、上記実施形態でのＰＭＶの扱いと怖じように扱われるようにしてもよい。別の言い方をすれば、上記環境情報をＰＭＶに換えて用いるようにしてもよい。
【０１００】
本開示の具体的な実施形態について説明したが、本開示は上記実施形態およびその変形例に限定されるものではなく、本開示の範囲内で種々変更して実施することができる。例えば、上記環境情報をＰＭＶに換えて用いる場合、ＰＭＶを用いるときの変形例のようにしたものを、本開示の一実施形態としてもよい。
【符号の説明】
【０１０１】
１  室内機
２  室外機
３  加湿装置
４  リモコン
１１  室内熱交換器
１２  室内ファン
２１  圧縮機
２２  四路切換弁
２３  室外熱交換器
２４  電動膨張弁
２５  アキュムレータ
２６  室外ファン
５１  室内熱交換器温度センサ
５２  室内温度センサ
５３  室内湿度センサ
５４  床温度センサ
５５  人感センサ
５６  室外熱交換器温度センサ
５７  外気温度センサ
１００  制御装置
１００ａ  情報検出部
１００ｂ  設定情報補正部
１００ｃ  第１設定変更判定部
１００ｆ  状態判定部
１００ｅ  第２設定変更判定部
１００ｆ  記憶制御部
１００ｇ  異常検知部
ＲＣ  冷媒回路
【図１】
2020056510.tif 000003
【図２】
2020056510.tif 000004
【図３】
2020056510.tif 000005
【図４Ａ】
2020056510.tif 000006
【図４Ｂ】
2020056510.tif 000007